(57)【要約】      （修正有）【課題】ナイフ・フォーク・スプーンのナイフ柄、フォーク柄、及びスプーン柄を交互に一体にして保管することで、保管体積が小さく、失くしにくく、全体の保管が衛生的で便利な携帯型食器セットを提供する。【解決手段】フォークのフォーク柄１、及びスプーンのスプーン柄２の中心には縦方向に沿って上下貫通する中心貫通溝が設けられ、フォーク柄の中心貫通溝の中央位置には係合ベースが設けられ、ナイフのナイフ柄３は、水平スラット、及び垂直突条からなり、そのナイフ柄の断面は、Ｔ字型であり、ナイフ柄の垂直突条には係合溝が設けられている。ナイフ柄の垂直突条は、フォーク柄、及びスプーン柄の中心貫通溝内に挿入するように装着することで、ナイフ柄、フォーク柄、及びスプーン柄は、一体に集合して保管することができる。【選択図】図１
0003232513.tif 000002
【実用新案登録請求の範囲】
【請求項１】
ナイフ、フォーク、及びスプーンを有する携帯型ナイフ・フォーク・スプーンセットであって、
前記フォークのフォーク柄、及びスプーンのスプーン柄の中心には縦方向に沿って上下に貫通する中心貫通溝が設けられ、フォーク柄の中心貫通溝の中央位置には係合ベースが設けられ、前記ナイフのナイフ柄は、水平スラット、及び垂直突条を備え、そのナイフ柄の断面は、Ｔ字型であり、ナイフ柄の垂直突条には係合溝が設けられており、
保管時には、フォークをスプーンの上に置き、フォークのフォーク柄とスプーンのスプーン柄が上下に揃い、ナイフのナイフヘッドをスプーン柄、及びフォーク柄の中心貫通溝を貫通させてフォークヘッドの上に置き、ナイフ柄の垂直突条は、フォーク柄、及びスプーン柄の中心貫通溝内に挿入するように装着し、垂直突条の係合溝は、フォーク柄の係合ベースに係合して装着し、フォークヘッドは、スプーンヘッドの上方に位置し、フォーク柄は、スプーン柄の上方に位置し、ナイフ柄の水平スラットは、スプーン柄下面に当接することで、ナイフ柄、フォーク柄、及びスプーン柄は、一体に集合することを特徴とする携帯型ナイフ・フォーク・スプーンセット。
【請求項２】
前記フォーク柄の下面、及びスプーン柄の上面はそれぞれ円弧形面であり、フォーク柄、スプーン柄、及びナイフ柄は合わさって一つの円柱断面を構成することを特徴とする請求項１に記載の携帯型ナイフ・フォーク・スプーンセット。
【考案の詳細な説明】
【技術分野】
【０００１】
技術分野
本考案は、携帯型食器に関し、特に、携帯型ナイフ・フォーク・スプーンに関する。
【背景技術】
【０００２】
背景技術
遊びに行ったり、旅行したりするとき、利便性と衛生のため、ナイフ・フォーク・スプーンを携帯することがしばしばあるが、ナイフ、フォーク、及びスプーンを携帯するとき、最大の障害は、ナイフ・フォーク・スプーンを一体に保管しにくく、それぞれ保管しなければならず、食品の鮮度保持の問題があることである。
【考案の概要】
【考案が解決しようとする課題】
【０００３】
考案の概要
これに鑑み、本考案の主な目的は、携帯型ナイフ・フォーク・スプーンを提供することであり、本技術的解決手段によりナイフ・フォーク・スプーンのナイフ柄、フォーク柄、及びスプーン柄を交互に一体にして保管し、保管体積が小さく、失くしにくく、全体の保管が衛生的で便利である。
【課題を解決するための手段】
【０００４】
上述の目的に達するために、本考案の技術的解決手段は、以下のように実現される。携帯型ナイフ・フォーク・スプーンセットであって、ナイフ、フォーク、及びスプーンを有し、前記フォークのフォーク柄、及びスプーンのスプーン柄の中心には縦方向に沿って上下貫通する中心貫通溝が設けられ、フォーク柄の中心貫通溝の中央位置には係合ベースが設けられ、前記ナイフのナイフ柄は、水平スラット、及び垂直突条を備え、そのナイフ柄の断面は、Ｔ字型であり、ナイフ柄の垂直突条には係合溝が設けられている。保管時には、フォークをスプーンの上に置き、フォークのフォーク柄とスプーンのスプーン柄が上下に揃い、ナイフのナイフヘッド前部をスプーン柄、及びフォーク柄の中心貫通溝を貫通させてフォークヘッドの上に置き、ナイフ柄の垂直突条は、フォーク柄、及びスプーン柄の中心貫通溝内に挿入するように装着し、垂直突条の係合溝は、フォーク柄の係合ベースに係合して装着し、フォークヘッドは、スプーンヘッドの上方に位置し、フォーク柄は、スプーン柄の上方に位置し、ナイフ柄の水平スラットは、スプーン柄下面に当接することで、ナイフ柄、フォーク柄、及びスプーン柄は、一体に集合する。
【０００５】
さらなる実施例として、前記フォーク柄の下面、及びスプーン柄の上面はそれぞれ円弧形面であり、フォーク柄、スプーン柄、及びナイフ柄は合わさって一つの円柱断面を構成する。
【０００６】
上述の技術的解決手段を採用した後の有益な効果は、携帯型ナイフ・フォーク・スプーンは、本技術的解決手段により、ナイフ・フォーク・スプーンのナイフ柄、フォーク柄、及びスプーン柄を交互に一体にして保管し、保管体積が小さく、失くしにくく、全体の保管が衛生的で便利であることである。
【図面の簡単な説明】
【０００７】
図面の簡単な説明
【図１】[0007]本考案におけるフォーク、スプーン、及びナイフの組み立て後の全体を保管する構造概略図である。
【図２】[0008]本考案におけるフォークの平面構造概略図である。
【図３】[0009]本考案におけるスプーンの平面構造概略図である。
【図４】[0010]本考案におけるナイフの側面構造概略図である。
【考案を実施するための形態】
【０００８】
考案を実施するための形態
次に図面を参照して本考案における具体的な実施例をさらに詳細に説明する。
【０００９】
図１から図４に示すように、本考案に関する携帯型ナイフ・フォーク・スプーンセットは、ナイフ、フォーク、及びスプーンを有し、前記フォークのフォーク柄１、及びスプーンのスプーン柄２の中心には縦方向に沿って上下貫通する中心貫通溝４が設けられ、フォーク柄１の中心貫通溝４の中央位置には係合ベース５が設けられ、前記ナイフのナイフ柄３は、水平スラット６、及び垂直突条７からなり、そのナイフ柄３の断面は、Ｔ字型であり、ナイフ柄３の垂直突条７には係合溝８が設けられ、保管時には、フォークをスプーンの上に置き、フォークのフォーク柄１とスプーンのスプーン柄２が上下に揃い、ナイフのナイフヘッド１１は、スプーン柄２、及びフォーク柄１の中心貫通溝４を貫通してフォークヘッド９の上に置かれ、ナイフ柄３の垂直突条７は、フォーク柄１、及びスプーン柄２の中心貫通溝４内に挿入するように装着され、垂直突条７の係合溝８は、フォーク柄１の係合ベース５に係合して装着され、フォークヘッド９は、スプーンヘッド１０の上方に位置し、フォーク柄１は、スプーン柄２の上方に位置し、ナイフ柄３の水平スラット６は、スプーン柄２下面に当接され、ナイフ柄３、フォーク柄１、及びスプーン柄２は、一体に集合する。
【００１０】
さらなる実施例として、前記フォーク柄１の下面、及びスプーン柄２の上面はそれぞれ円弧形面であり、フォーク柄１、スプーン柄２、及びナイフ柄３は合わさって一つの円柱断面を構成する。
【００１１】
以上に記載したのは、本考案の好適な実行可能実施例にすぎず、本考案の範囲を限定するためのものではない。
【符号の説明】
【００１２】
符号の説明
１  フォーク柄
２  スプーン柄
３  ナイフ柄
４  中心貫通溝
５  係合ベース
６  水平スラット
７  垂直突条
８  係合溝
９  フォークヘッド
１０  スプーンヘッド
１１  ナイフヘッド
【図１】
0003232513.tif 000003
【図２】
0003232513.tif 000004
【図３】
0003232513.tif 000005
【図４】
0003232513.tif 000006